(57)【要約】無線周波アパーチャは、積み重ねて配置された複数の絶縁層を含み、各層が導電性領域のアレイを含み、導電性領域が隣接する導電性領域から隔離されている。アンテナに衝突する無線周波数波を屈曲させ、または、その向きを操作する方法も開示する。この方法は、隣接する導電性領域から離隔しかつ容量性素子を形成する複数の導電性領域のアレイをそれぞれ含む、積み重ねて配列された複数の絶縁層を、無線周波数波源とアンテナとの間に配置するステップを含む。複数の絶縁層中の容量性素子の静電容量を、複数の絶縁層中のそれらの位置の関数として調節する。
2004500776.tif 000002
【特許請求の範囲】
【請求項１】
積み重ねて配置された複数の絶縁層を含み、各層が複数の導電性領域の２次元アレイを含み、前記複数の導電性領域が隣接する導電性領域から隔離された無線周波アパーチャであって、隣接する複数の層が少なくとも１方向において、僅かに異なる周期性を有し、もって、無線周波アパーチャの有効誘電率が前記少なくとも１方向に沿って変化する無線周波アパーチャ。
【請求項２】
前記複数の層が、互いに対して相対的に移動可能な状態で積み重ねて配置されている、請求項１に記載の無線周波アパーチャ。
【請求項３】
衝突するＲＦ信号の向きを操作する無線周波アパーチャであって、積み重ねて配置された複数の絶縁層を含み、各層が複数の導電性領域の２次元アレイを含み、前記複数の導電性領域が隣接する導電性領域から隔離されているところの無線周波アパーチャ。
【請求項４】
隣接する複数の層が、１方向においてのみ僅かに異なる周期性を有し、そして、前記１方向に対して直交する方向において均一の周期性を有する、請求項１から３のいずれか１つに記載の無線周波アパーチャ。
【請求項５】
隣接する複数の層が、前記複数の層の主要な２つの軸において僅かに異なる周期性を有する、請求項１から４のいずれか１つに記載の無線周波アパーチャ。
【請求項６】
前記複数の層が平面状であり、そして、隣接する複数の層間の移動が前記複数の層の平面に対して平行な方向における直線移動、または、前記複数の層の平面に対して平行な方向における垂直移動である、請求項２から５のいずれか１つに記載の無線周波アパーチャ。
【請求項７】
少なくとも１つの層を他の層に対して相対的に移動させるための手段をさらに含む、先行請求項のいずれか１つに記載の無線周波アパーチャ。
【請求項８】
前記複数の層が相互に直接的に隣接した状態で積み重ねて配置される、先行請求項のいずれか１つに記載の無線周波アパーチャ。
【請求項９】
前記複数の絶縁層がプリント回路基板である、先行請求項のいずれか１つに記載の無線周波アパーチャ。
【請求項１０】
前記複数の絶縁層がポリイミドから形成された、請求項９に記載の無線周波アパーチャ。
【請求項１１】
前記複数の導電性領域が長方形状を有している、先行請求項のいずれか１つに記載の無線周波アパーチャ。
【請求項１２】
積み重ねて配置された複数の絶縁層を含み、各層が複数の導電性領域の２次元アレイを含み、前記複数の導電性領域が隣接する導電性領域から隔離され、前記複数の層のうちの少なくとも１つが積み重ね状態において他の層に対して相対的に移動可能である、無線周波アパーチャ。
【請求項１３】
アンテナに衝突する無線周波数波を屈曲させまたはその向きを操作する方法であって、
積み重ねて配置された複数の絶縁層を、無線周波数波源とアンテナとの間に配置するステップであって、前記複数の絶縁層の各々が複数の導電性領域からなるアレイを含んでおり、前記複数の導電性領域が隣接する導電性領域から離隔され、そして、容量性素子を形成するところのステップと、
前記複数の絶縁層中の前記容量性素子の静電容量を、前記複数の絶縁層中のそれらの位置の関数として調節するステップと
を含む方法。
【請求項１４】
前記容量性素子の前記静電容量を調節する前記ステップが、前記複数の絶縁層を互いに対して相対的に移動させることによって実行される、請求項１３に記載の方法。
【請求項１５】
前記複数の導電性領域が長方形構成を有しており、そして、前記絶縁層の移動が直線移動である、請求項１４に記載の方法。
【請求項１６】
前記複数の絶縁層が平面状である、請求項１５に記載の方法。
【請求項１７】
前記複数の絶縁層中の前記容量性素子の前記静電容量を調節する前記ステップが、前記複数の層において、少なくとも１方向に沿った少なくとも２つの隣接する層に対する前記複数の導電性領域の周期性を調節することによって実行される、請求項１３から１６のいずれか１つに記載の方法。
【請求項１８】
前記周期性を、前記複数の層における２方向において調節する、請求項１７に記載の方法。
【請求項１９】
無線周波数波の合焦を行い、前記容量性素子が各層の中央部分において各層の周辺部分より高い静電容量を提供する、請求項１３から１８のいずれか１つに記載の方法。
【請求項２０】
各層上の前記複数の導電性領域が相互に隔離されており、そして、前記複数の導電性領域が各層において２次元アレイとして配列され、前記層中の複数の導電性領域の周期性が、積み重ね状態において、各層毎に少なくとも１方向において異なっている、請求項１３から１９のいずれか１つに記載の方法。
【発明の詳細な説明】
【０００１】
（発明の分野）
本発明は、ＲＦビームの向きの操作、ＲＦビームの合焦、および／またはその偏波の変更のためにＲＦビーム中に配置することができる無線周波アパーチャに関する。
【０００２】
（発明の背景および簡単な説明）
本発明は、アンテナアパーチャに関し、また、アンテナアパーチャに使用される材料に関する。ここに開示された材料は、可同調誘電体として作用することにより、それを通過する無線周波（ＲＦ）ビームに対して様々な作用を及ぼすことができる。この材料は複数の層を含み、各層中には、導電性で好ましくは金属製の小さなプレートのアレイが配置されている。各層中のプレートは、隣接する層のプレートと重なり合い、これによりコンデンサを形成することが好ましい。この材料を有効な誘電体媒体とみなすことができ、これらの導電性プレートがアンテナの放射素子として働くのではなく集中容量性回路素子として働くように、個々のプレートの横寸法は、ＲＦビームの１つまたは複数の当該の周波数の１波長よりはるかに小さいことが好ましい。
【０００３】
各層がプレートのアレイを含み、そして、この材料は複数の層を含むので、この材料の有効誘電率を向上させるコンデンサの３次元アレイが提供される。誘電効果は異方性であり、コンデンサの密度および配列に依存する。そのため、誘電テンソルは、材料中の位置の関数とすることができ、またこのように構成されることが好ましい。各層を隣接する層に対して相対的に移動させ、好ましくは、平行移動させることにより、各コンデンサの値を変え、ひいてはその有効誘電テンソルを変えることができる。このようにして、任意の誘電関数を得ることができ、この誘電関数は、複数の層を積み重ねて形成した３次元アレイ中の個々の層を僅かに移動させるだけで設定し直すことができる。
【０００４】
この材料は、アンテナアパーチャとして有効に利用することができ、その場合には擬似光学素子として作用することができる。設定可能な誘電テンソルを有することにより、この材料がアンテナアパーチャにおいて様々な作用を実行することが可能となる。例えば、無線周波レンズまたはプリズムとして構成して無線周波ビームの合焦または向きの操作を行い、または、４分の１波長板として構成して無線周波ビームを円偏波と直線偏波の間で変換することができる。この材料の応用分野としては、１つまたは複数の衛星の追跡、および２種類の偏波の無線信号の単一のアンテナ設備からの同時送受信がある。
【０００５】
本発明は、必要な場合であっても、機械的な運動が僅かな、広い角度にわたってＲＦビームの向きを操作する方法をも提供する。従来技術のＲＦビームの向きの操作手法では、一般に、移相器または機械的ジンバルを使用する必要がある。本発明では、可変コンデンサによってビームの向きの操作が実施されるので、高価な移相器や、信頼性が低くかさばる機械的ジンバルの必要性が回避される。可変コンデンサを、比較的小さな機械的差動運動によって、または電子的作動によって同調させることができる。さらに、材料中の各層が直交する２方向に差動的に移動する場合にこの手法を用いると、２方向に走査するために２通りの直交制御しか必要とせずに、多くの放射素子を個別に制御する複雑さが解消される。本発明は、特定のフィード方法に依存するものではなく、ディッシュアンテナの既存の従来技術のアンテナアパーチャの上に配置して、この装置にビームの向きの操作機能を追加することができる。さらに、受信および／または送信用アンテナとともに使用することもできる。
【０００６】
本発明は、また、衛星通信で重要な直線偏波と円偏波の間の変換を行う方法をも提供するものである。また、本発明により、反対の円偏波を有する２つの信号の向きを個別に操作することができ、それにより２つの衛星を同時に追跡することが可能となる。従来技術では、別個の２つのアンテナを使用してこれを行っていた。
【０００７】
本発明により、例えばマイクロ波周波数のＲＦビームを、光学レンズおよび／または４分の１波長板によって可視光を操作するのとほぼ同様に操作することが可能となる。
【０００８】
全体に関して言えば、本発明は、隣接する導電性領域から離隔した複数の導電性領域のアレイをそれぞれ有する、積み重ねて配置された複数の絶縁層を含む無線周波アパーチャを提供する。
【０００９】
別の態様では、本発明は、アンテナに衝突する無線周波数波を屈曲させ、または、その向きを操作する方法を提供する。この方法は、積み重ねて配列された複数の絶縁層を無線周波数波源とアンテナの間に配置することを含み、各絶縁層は導電性領域のアレイを含み、導電性領域は隣接する導電性領域から離隔して、容量性素子を形成している。また、複数の絶縁層中のこれらの容量性素子の静電容量は、複数の絶縁層中のそれらの位置の関数として調節される。
【００１０】
（詳細な説明）
本発明のアンテナアパーチャは積み重ねられた層１０を含み、各層１０は、誘電体材料１３に取り付けられた、またはそこに埋め込まれた導電性プレート１１のアレイを含む。好ましくは、プレート１１は２次元アレイを形成し、各層１０中で互いに離隔し、それにより互いに隔離されている。各層中のプレート１１は、隣接する層中のプレート１１と重なり合い、コンデンサを形成している。そのうちの１つを、仮想線で形成した枠１２中に示す。図１に示す本発明の実施形態によれば、個々の層を、プリント回路基板を用いて形成することが好ましく、プレート１１を、従来のプリント回路基板製作プロセスを用いて適宜エッチングした銅などの金属で構成することが好ましい。プレートの寸法および層の厚さは、問題とされる１つまたは複数の周波数の波長よりはるかに小さい。材料の有効誘電率は、プリント回路基板の材料の誘電率だけでなく、単位体積あたりのコンデンサの数、それらの値、およびそれらの配置にも依存する。図１に示す形状では、水平方向の有効誘電率は下記の式１によって与えられる。
【００１１】
【数１】
2004500776.tif 000003
【００１２】
ここで、
εｅｆｆ＝コンデンサのプレート間の誘電率、
ａ＝水平方向の周期、
ｘ１＝左側のプレートと重なり合う長さ、
ｘ２＝右側のプレートと重なり合う長さ、
ｄ＝コンデンサのプレート間の材料の厚さ、および
ｔ＝各層の全厚である。
【００１３】
上記式を参照すれば理解されるように、有効誘電率は、各プレート１１がその隣接するプレートのそれぞれと重なり合う長さによって決定され、この重なり合う長さは、値ｘ１およびｘ２によって与えられる。１つの層を隣接する層に対して相対的に横方向にシフトさせると、和（ｘ１＋ｘ２）を比較的一定に保ちながら、積ｘ１ｘ２が変化する。したがって、有効誘電率は、各層の横方向変位によって決定される。プレート１１のアレイは、直交する２方向に沿って異なる周期および異なる変位を有することができるので、有効誘電テンソルは、所望の場合には、異方性を有する。実際問題として、この材料は双軸光学結晶として作用する。ただし、作用を及ぼすのは可視光ではなく無線周波数波である。
【００１４】
各層に異なる格子定数を持たせることにより、重なり合う長さを積み重ね構造中の位置の関数として変化させることができる。これを図２に示す。この図では、各層の格子定数はその上の層よりわずかに大きい。これらの層が、重なり合う部分が一方の側で他方の側より大きくなるように位置合わせされている場合には、その特定の方向に沿って分布した誘電率が得られる。さらに、図２に示す方向と直交する方向には、これと同じ勾配を持たせることも、異なる勾配を持たせることも、あるいは全く勾配を持たせないことも可能である。有効誘電率は、わずかに異なる周期を有する格子の間に形成されるモアレパターンによって決定される。これを図３に示す。
【００１５】
層１０の間に生じる可能性がある空気の隙間（またはその他の間隙）を最小限に抑えるために、層１０を互いに直接的に隣接して配置することが好ましい。空気の隙間（またはその他の間隙）は、層１０中の隣接するプレート１１の容量効果を低下させることになるので、通常は望ましくない。
【００１６】
図４ａおよび図４ｂは、一方の層１０ａを実線で示し、もう一方の層１０ｂを破線で示したところの、積み重ねられた層中の隣接する２つの層１０を示す図である。図４ａでは、静電容量の勾配またはテンソルが１方向のみに発生するが、図４ｂでは、静電容量の勾配が２方向に同時に発生する。説明を容易にするために層１０については２層しか示していないが、積み重ね構造は、通常は３層以上の層１０を含む複数の層を含むことを理解されたい。ただし、図４ａおよび図４ｂに示された隣接する２つの層１０ａおよび１０ｂの周期性の相対的なずれは、積み重ねられた層を通じて容易に繰り返すことができる。
【００１７】
図４ａにおいては、層１０ａおよび１０ｂ中のコンデンサのプレート１１は、ｙ軸に沿って同じ周期性を共有するが、これら２つの層中のプレートは、ｘ軸に沿っては僅かに異なる周期性を有する。図４ａにおいては、コンデンサの各プレート１１がｙ軸に沿って同様の重なり合う部分を有するので、図４ａのこれらの層についてはｙ方向に静電容量の勾配はないが、ｘ軸方向にはコンデンサのプレートの重なり合いが変化するので、静電容量の勾配が現れる。
【００１８】
図４ｂにおいては、層１０ａおよび１０ｂ中のコンデンサのプレート１１は、ｘ軸およびｙ軸の両方に沿って異なる周期性を有するので、コンデンサのプレート１１は、ｘ軸およびｙ軸の両方に沿って重なり合う部分が変化している。その結果、図４ｂに示す構成では、ｘ軸およびｙ軸の両方に沿って静電容量の勾配が変化する。
【００１９】
勾配誘電率
【数２】
2004500776.tif 000004
を有する薄い材料を電磁波が通過すると、ビームは下式に従って屈曲する：
【００２０】
【数３】
2004500776.tif 000005
【００２１】
ここで、
Ｔ＝勾配誘電層の厚さ、および
Θ＝角度（ラジアン）である。
【００２２】
上述した構造は、任意の方向に同調させ、または、層１０をわずかにシフトさせることによって決定される任意の所望の傾きを有することが可能な屈折率分布型プリズムと同一の作用をもたらすことが可能である。この性質を利用して、図５に示すように、この材料を通過するビームの向きを操作することができる。ビームの角度は、層に与えるシフトの角度および大きさによって決定される。
【００２３】
この構造は、その中央部で誘電率または静電容量が最高となるように配列することにより、図６に示すようにビームを合焦させることができる。実際には、通常はこれら機能の双方が一緒に利用されるか、または、ソースからの放射をコリメートし、そして、コリメートされたビームを所望の方向に向ける単一のユニットに組み合わされる。
【００２４】
図５および図６には、層の誘電率または静電容量は１方向のみにシフトするものとして示されているが、図４ｂから理解されるように、容量性または誘電性の勾配は２方向に同時に変化するので、図６に示す合焦は、設計上の選択の事項として、１方向のみに生じさせることも、２方向に生じさせることも可能である。
【００２５】
１組のピン１４を使用してプレートの積み重ね構造を様々な方向に傾斜させるところの、ＲＦビームの向きを操作する技術を図７に示す。大きな角度にわたってビームの向きを操作するために、機械的な僅かな運動しか必要としないので、この実施形態のアパーチャは、分単位で空を横切る衛星の追跡などの応用分野に有効である。層を移動させるための別の可能な方法においては、図８ａおよび図８ｂに示すように圧電アクチュエータ１６が使用される。このタイプのアクチュエータは、摩擦力と圧電変換器の僅かな反復運動とを利用して、大きな段階的運動を生み出す。適当な圧電アクチュエータについては、米国カリフォルニア州Ｓａｎｔａ　ＢａｒｂａｒａのＭｉｃｒｏＰｕｌｓｅ　Ｓｙｓｔｅｍｓから、市販製品として現在入手することができる。
【００２６】
図７、図８ａ、および図８ｂに示す構造は、積み重ねられた層中の層１０をｘ軸およびｙ軸に沿って相対的に直線移動させるのに有効である。図４ａおよび図４ｂでは、プレート１１は長方形状を有するものとして示されているので、このようなｘ軸およびｙ軸方向の直線移動は、容量性または誘電性の勾配がこの移動に応答してどのように変化するか予測することが確実に容易になり、理に適っている。ただし、プレート１１はいかなる特定の座標系と関連づける必要もなく、またプレート間の相対移動もいかなる特定の座標系と関連づける必要もないが、プレート１１を配列するためには、ｘｙ座標系が好ましく、同様に層１０間の相対移動としては直線移動が好ましい。
【００２７】
導電性プレート１１の格子が異方性である場合には、有効誘電率は、複屈折光学結晶の場合と同様に、印加電界の方向によって決まる。したがって、ここに開示された装置を使用して、直線偏波と円偏波との間の変換を行うために使用される４分の１波長板などの装置と同様の作用をもたらすことができる。４分の１波長板は、各直線偏波で４分の１波長だけ光学的厚さが異なる材料のスラブである。金属プレート間の隙間が小さく、プレートがそれらの間の誘電体スペースに比べて薄い場合には、４分の１波長板に必要な幾何形状は下式によって決定される。
【００２８】
【数４】
2004500776.tif 000006
【００２９】
ここで、
ａ＝Ｘ方向の格子定数、
ｂ＝Ｙ方向の格子定数、
ε＝背景誘電率、
λ＝波長、
ｔ＝各層の厚さ、および
Ｔ＝全厚である。
【００３０】
このような装置を使用して、例えば反対の偏波を有する２つの衛星から信号を受信し、それらを２つの直交する直線偏波に変換することができる。これらは、図３および図４に示すビーム屈曲板を使用して異なる２つの方向に屈曲させることができる。合焦のために、図５に示す合焦機能を使用し、または、従来の（誘電率のテンソル形態の原因となる）光学幾何設計に従う表面を有する成型した高誘電率層のセットを使用することにより、レンズ機能を追加することができる。図９に示すように、構造全体を積み重ね構造状にして単一ユニットを形成する。これにより、２つの信号をそれぞれの偏波によって区別して、異なる２つの衛星を単一のアンテナで独立して追跡することが可能となる。
【００３１】
本明細書に記載の方法は、双軸結晶と従来呼ばれる材料を構成し、その誘電テンソルを変化させてεｘｘ、εｙｙ、およびεｚｚの独立制御を達成するための低コストな方法をもたらす。このような不均一結晶は、多くの市販の光学デバイスに見られる多種多様な有用な性質を示す。しかし、本発明によれば、１つのタイプの結晶を別のタイプの結晶と区別する誘電テンソルを自在に変化させることができ、マイクロ波帯域およびミリ波帯域で利用することができる。
【００３２】
本明細書に開示された材料の用途は、前述の図面に示した擬似光学部品にとどまらない。例えば、この構造を使用して、プリズムや回折格子、導波路など、有効誘電率によって規定される任意の構造と同一の作用をもたらすことが可能である。
【００３３】
図１に示す構造は、プリント回路基板上の２ｍｍ四方の金属プレート１１の格子でシミュレートされており、プレート１１は横方向および垂直方向に０．１ｍｍの間隔で互いに分離されている。僅か０．１ｍｍの薄いプリント回路基板が容易に入手可能である。例えば、１ミル（０．０２５ｍｍ）の薄さのポリイミド製プリント回路基板が市販されており、したがって、プリント回路基板技術を用いた開示の構造は、望ましい場合には、非常に周波数の高い応用分野で使用することができる技術である。このシミュレートした積み重ね構造に含まれる２４枚の個別の層はそれぞれ、最初はその隣接する層と１／２格子周期だけずれている。この構造を通して平面波を伝送し、個々の層を移動させながらその位相を観察した。
【００３４】
図１０は、この構造を通した伝送の位相を示す図であり、これを実線の曲線で示してある。この図はまた、一層おきに０．０５ｍｍずつ垂直方向（プレートに対して垂直な方向）に平行移動させた別の構造を通した伝送の位相も示している。この改変構造は、破線の曲線で示してある。コンデンサの半分は値が上昇し、半分は値が低下した。最終的な結果として、有効誘電率が上昇した。これはこれらのコンデンサが互いに平行に現れることを示す。これは、位相が下方に変移したことによって示される。この移相が積み重ね構造中の位置によって決まる場合には、この構造は前述の機能を実行することができる。
【００３５】
図１１は、一層おきに０．５ｍｍずつ横方向に平行移動させた構造を通した伝送の位相を示す。実線の曲線は最初の構造を示すものであるが、この実線の曲線は、印加されたＲＦ磁界の方向に平行移動を行った構造にも対応している。こうした場合にこれらの曲線が重なるということは、横方向の平行移動がこの方向には影響を及ぼさないことを示している。破線の曲線は、印加されたＲＦ電界の方向に平行移動を行った構造を示すものである。移相として観察される有効誘電率が低下していることに留意されたい。また、破線の曲線と実線の曲線の差によって示されるこの効果の偏波依存性にも留意されたい。この特徴により、これらの装置をマイクロ波４分の１波長板として製造することが可能となる。
【００３６】
好ましい実施形態を参照して本発明について述べたが、当業者であれば修正形態を思いつくであろう。例えば、本明細書において上述した層１０は全て平面構成であるが、本発明を平面状の層１０に限定する理論的な根拠はない。実際問題として、これらの層はそれぞれ、例えば、それらが互いに対して相対的に移動することができ、それと同時に互いに隣接して配置されることができるように、各層の半径が少しずつ異なるようにして、円筒形または球形の構成をとることもできる。ただし、平面状の層１０を使用すれば、上述した構造が単純になるので好ましい。さらに、隣接する複数の層１０の間の好ましい移動は直線移動であるが、静電容量の変化を実現し、それによりこの構造を通過するビームをもたらすその他の任意の相対移動を利用することもできる。さらに、コンデンサのプレートを配置する基板は、設計者の選択に応じて非常に薄くすることができる。極めて薄いプレートを利用する場合には、それらを平面状（あるいは、更に言えば円筒形）に保つために、それらの形状を維持するためのその他の構造と共に使用すれば良い。例えば、本明細書に記載された層１０を、ガラスシートやアクリルシートなど、問題の周波数に対して透明な材料の１枚または複数枚のシートとともに使用して、層１０を支持することもできる。したがって、本発明は、添付の特許請求の範囲によって必要とされる場合を除いて、上述した実施形態に限定されることはない。
【図面の簡単な説明】
【図１】
コンデンサを形成するように重なり合う配列で形成された導電エリアを有する素子の積み重ね構造を示す側面図である。
【図２】
図１と同様の積み重ね構造であるが、重なり合う長さが位置によって異なり、それにより誘電率の効果に勾配が与えられるように、各層が少しずつ異なる格子定数を有する積み重ね構造を示す図である。
【図３】
図２に示す装置について誘電率が変化する様子を示す図である。
【図４ａ及び４ｂ】
素子の積み重ね構造を示す平面図である。
【図５】
装置が屈折率分布型プリズムとして作用するときに、この装置を通過するビームの向きが操作されるところの適用例を示す図である。
【図６】
屈折率分布型レンズとして作用することにより、装置に入射するビームを合焦する装置の適用例を示す図である。
【図７】
ピンによって位置が制御された、図１および図２のプレートを示す図である。
【図８ａ及び８ｂ】
圧電アクチュエータを使用することによって、プレートを互いに相対的に移動させる他の方法を示す図である。
【図９】
４分の１波長板、ビーム屈曲板、およびレンズからなるアンテナアパーチャであって、通常はディッシュアンテナと組み合わされるタイプのＬＮＡ（低雑音増幅器）に衛星から入る伝送波の向きを操作するために使用される場合に、単一のユニットに組み合わされるアンテナアパーチャを示す図である。
【図１０】
図１に示す実施形態に係る構造を通した伝送位相を示す図である。
【図１１】
他の実施形態に係る構造を通した伝送位相を示す図である。
【図１】
2004500776.tif 000007
【図２】
2004500776.tif 000008
【図３】
2004500776.tif 000009
【図９】
2004500776.tif 000010
【図１０】
2004500776.tif 000011
【図１１】
2004500776.tif 000012
【国際公開パンフレット】
2004500776.tif 000013
2004500776.tif 000014
2004500776.tif 000015
2004500776.tif 000016
2004500776.tif 000017
2004500776.tif 000018
2004500776.tif 000019
2004500776.tif 000020
2004500776.tif 000021
2004500776.tif 000022
2004500776.tif 000023
2004500776.tif 000024
2004500776.tif 000025
2004500776.tif 000026
2004500776.tif 000027
2004500776.tif 000028
2004500776.tif 000029
2004500776.tif 000030
2004500776.tif 000031
【国際公開パンフレット（コレクトバージョン）】
2004500776.tif 000032
【国際調査報告】
2004500776.tif 000033
2004500776.tif 000034